(57)【特許請求の範囲】
【請求項１】
底壁（２）と、前記底壁（２）の外周に起立した摘み筒（４）と、前記摘み筒（４）の内側に起立した嵌合筒（３）とを有する下蓋（１）と、
前記嵌合筒（３）外面に下部を回動不能に嵌合され前記摘み筒（４）の上方に起立して設けた固定筒（１２）を有する容器本体（１１）と、
頂壁（２２）と前記頂壁（２２）外周から垂下する周壁（２３）とを有し、前記容器本体（１１）外面に着脱自在に嵌合されるキャップ（２１）とからなる棒状化粧品繰出し容器において、
前記固定筒（１２）は、下部が小径の小内径部（３１）に形成され、前記小内径部（３１）の上部（３２）を除く内面部分にはほぼ等間隔に第１凹溝（３３）が縦設されており、前記第１凹溝（３３）とこれら第１凹溝間で形成される第１突部（３４）とが断面波形状に交互に連続しており、
前記嵌合筒（３）の外径は、前記固定筒（１２）の小内径部（３１）の内径とほぼ同径にされ、前記嵌合筒（３）の上部には外面の全周ないし一部へほぼ等間隔に第２突部（４１）が付設されており、これら第２突部間の複数の凹溝を第２凹溝（４２）とし、また前記嵌合筒（３）の下部外面には複数の第３突部（４３）が縦設されており、
嵌合筒（３）外面へ前記固定筒（１２）の小内径部（３１）を嵌合させたとき、前記固定筒（１２）の第１凹溝（３３）内へ前記嵌合筒（３）の第３突部（４３）が位置し、前記嵌合筒（３）の第２突部（４１）と第３突部（４３）との間へ前記固定筒（１２）の小内径部（３１）の上部（３２）が位置し、さらに前記固定筒（１２）の第１突部（３４）の上方へ前記嵌合筒（３）の第２凹溝（４２）が位置するように配置し、
前記嵌合筒（３）の第２突部（４１）を前記固定筒（１２）の小内径部（３１）の上部（３２）が乗越えることができるようにして、前記嵌合筒（３）から前記固定筒（１２）を抜け出し得るよう構成したことを特徴とする棒状化粧品の繰出し容器。
【請求項２】
前記嵌合筒（３）の上端面に縦割溝（４４）を適当数穿設して、前記嵌合筒（３）を弾状変形可能にしたことを特徴とする請求項１記載の棒状化粧品繰出し容器。
【発明の詳細な説明】
【０００１】
【発明の属する技術分野】
本発明は棒状化粧品繰出し容器に関する。
【０００２】
【従来の技術】
棒状化粧品、例えば棒状口紅繰出し容器は、通常底壁外周近くから嵌合筒を、かつ外周から嵌合筒よりも高く摘み筒を、それぞれ起立する下蓋と、上記嵌合筒外面へ、固定筒下部を回動不能に嵌合させて摘み筒上方まで起立する、化粧品繰出し機構付きの容器本体と、上記摘み筒上方へ起立する容器本体部分の外面へ、頂壁外周から垂下する周壁を着脱自在に嵌合させたキャップとで形成されている。尚上記容器本体は、嵌合筒よりも上方へ突出する固定筒外面へ、回動不能に把持筒を嵌合させると共に、固定筒内には棒状化粧品の受筒ないし受皿を嵌合させ、上記固定筒筒壁の左右両側には縦長孔ないし螺状孔を、把持筒内壁面の対向位置には螺状溝ないし縦長溝を、それぞれ穿設させ、又上記受筒等の左右両側面が突出させたピンを、上記縦長孔等と螺状溝等との交点部分において、縦長孔等に挿通させ、かつ螺状溝等内面へピン先端を係合させて、把持筒に対して摘み筒を正逆両方向へ回すと受筒等が固定筒に対して上下動し、棒状化粧品が繰出され、又繰込みされるよう設けている（例えば特許文献１参照）。
【０００３】
【特許文献１】
特開２００１−３４０１３４号公報
【０００４】
【発明が解決しようとする課題】
上記下蓋の嵌合筒に対する固定筒下方筒部の嵌合は、抜出し不能に嵌合させてもよい筈であるが、棒状化粧品の色と、容器本体およびキャップの色ないし模様等との組合せは消費者の好みに応じて変更することがあり、そのため下蓋から固定筒を有する容器本体を、必要に応じて取外して交換できることが望ましい。しかしその取外しがあまりに容易であれば、使用時何等かの理由で下蓋の嵌合筒から容器本体固定筒の下部が外れることがあり、すると棒状化粧品の繰出し、組込みが不能となる。
【０００５】
本発明は、上記下蓋嵌合筒に対する固定筒下部の嵌合が確実であると共に、必要に応じて強制的な取外しが可能であるよう設けたものである。
【０００６】
【課題を解決するための手段】
第１の手段として、底壁（２）と、前記底壁（２）の外周に起立した摘み筒（４）と、前記摘み筒（４）の内側に起立した嵌合筒（３）とを有する下蓋（１）と、
前記嵌合筒（３）外面に下部を回動不能に嵌合され前記摘み筒（４）の上方に起立して設けた固定筒（１２）を有する容器本体（１１）と、
頂壁（２２）と前記頂壁（２２）外周から垂下する周壁（２３）とを有し、前記容器本体（１１）外面に着脱自在に嵌合されるキャップ（２１）とからなる棒状化粧品繰出し容器において、
前記固定筒（１２）は、下部が小径の小内径部（３１）に形成され、前記小内径部（３１）の上部（３２）を除く内面部分にはほぼ等間隔に第１凹溝（３３）が縦設されており、前記第１凹溝（３３）とこれら第１凹溝間で形成される第１突部（３４）とが断面波形状に交互に連続しており、
前記嵌合筒（３）の外径は、前記固定筒（１２）の小内径部（３１）の内径とほぼ同径にされ、前記嵌合筒（３）の上部には外面の全周ないし一部へほぼ等間隔に第２突部（４１）が付設されており、これら第２突部間の複数の凹溝を第２凹溝（４２）とし、また前記嵌合筒（３）の下部外面には複数の第３突部（４３）が縦設されており、
嵌合筒（３）外面へ前記固定筒（１２）の小内径部（３１）を嵌合させたとき、前記固定筒（１２）の第１凹溝（３３）内へ前記嵌合筒（３）の第３突部（４３）が位置し、前記嵌合筒（３）の第２突部（４１）と第３突部（４３）との間へ前記固定筒（１２）の小内径部（３１）の上部（３２）が位置し、さらに前記固定筒（１２）の第１突部（３４）の上方へ前記嵌合筒（３）の第２凹溝（４２）が位置するように配置し、
前記嵌合筒（３）の第２突部（４１）を前記固定筒（１２）の小内径部（３１）の上部（３２）が乗越えることができるようにして、前記嵌合筒（３）から前記固定筒（１２）を抜け出し得るよう構成した。
【０００７】
第２の特徴として、上記第１の手段を有すると共に前記嵌合筒（３）の上端面に縦割溝（４４）を適当数穿設して、前記嵌合筒（３）を弾状変形可能にした。
【０００８】
【発明の実施の形態】
以下図面について説明する。まず従来公知の構造について説明すると、１は下蓋であり、該下蓋の底壁２の外周近くからは嵌合筒３を、又外周からは摘み筒４を、それぞれ起立している。該摘み筒は図示のように、主筒4a上部に金属筒4bを嵌着させて形成してもよく、上下方向中間部に内面開放の外向きフランジ状突部５を有する金属筒4bの下半を主筒4aの内面へ嵌着させ、上半を後述キャップ周壁の嵌合筒に形成し、上記外向きフランジ状突部上面が形成する上向き段部をキャップ周壁下端面との当接面に形成している。又上記金属筒4bを嵌合させないで、キャップ周壁下面が直接上記主筒だけで形成した摘み筒４の上端面へ接するよう設けてもよい。
【０００９】
上記嵌合筒３の外面へは、容器本体11が有する固定筒12の下部を回動不能に嵌合させる。その容器本体は上記固定筒12と、該固定筒外面へ回動可能に嵌合させる把持筒13と、固定筒内面へ上下動可能に嵌合させる棒状化粧品14の下部装着用の受筒15ないし受皿とで形成するもので、それ等固定筒と把持筒と受筒ないし受皿とは、棒状化粧品繰出し機構を有する。
【００１０】
該繰出し機構は、図示例において固定筒12の左右両側に縦長孔16,16 を、又把持筒の対向位置に二条の螺溝17,17 を、それぞれ穿設し、それ等縦長孔と螺溝との交点に受筒15の左右外面から突出したピン18,18 を、縦長孔に挿通させてその先端を螺溝17,17 内へ係合させ、把持筒13を持ち、摘み筒４を正方向へ回すと受筒15が上昇して棒状化粧品14が繰出され、又逆方向へ回すと組込みされるよう設けている。
【００１１】
21は頂壁22外周から周壁23を垂下するキャップで、その周壁を図示例では既述金属筒4bの上半外面へ嵌合させているが、金属筒を設けない場合は摘み筒上方へ起立する把持筒部分外面へ嵌合させる。
【００１２】
本発明にあっては、既述固定筒12の下部を小内径部31として図３が展開図で示すように、該小内径部の上部32を除く、筒部分内面へほぼ等間隔に第１凹溝33を穿設して、それ等第１凹溝間部分が形成する第１突部34と第１凹溝33とを断面波形状に交互に連続させた。
【００１３】
又嵌合筒３の外径は、上記小内径部31内径とほぼ同径として、図２が展開図で示すように嵌合筒上部外面の一部へほぼ等間隔に第２突部41を付設し、これ等第２突部間の凹溝を第２凹溝42とした。但しそれ等第２突部および第２凹溝は嵌合筒上部外面の全周に設けてもよい。
【００１４】
又嵌合筒３の下部外面へは複数の第３突部43を縦設させた。
【００１５】
更に図示例では嵌合筒３に上端面開口の縦割溝44を複数穿設したが、該縦割溝は必ずしも必要としない。
【００１６】
上記嵌合筒３の上部は図１が示すように、上端部小径のテーパ状とするとよく、各第２突部41は図２のように上部の左右両面を上内方への傾斜面41a,41a として上端部を角形に形成するとよい。
【００１７】
上記第１凹溝33、第１突部34、第２突部41、第２凹溝42、第３突部43は次の関係を有する。
【００１８】
嵌合筒３に対して、固定筒12を上方から押下げすると、第１突部34下端が傾斜面41a に接し案内されることで、ないしは直接第２凹溝42内へ入ることで固定筒12が下降し、次いで第２突部41上端が小内径部の上部32下面へ接する。嵌合筒３上端外面をテーパ状としておく等することで、上記小内径部の上部32は第２突部41を強制的に乗越えして図１のように該第２突部41と第３突部43との間に位置し、又第３突部43はこのとき、第１凹溝33内へ位置するよう設ける。尚このとき、第１突部34上方に小内径部の上部32を介して第２凹溝42が位置する。該嵌合状態では、固定筒12の第１凹溝33内に嵌合筒３の第３突部43が位置することで、嵌合筒３に対する固定筒12の回動が阻止され、又固定筒12の小内径部上部32が嵌合筒３の第２突部41下面へ接することで、嵌合筒３からの固定筒12の抜出しが防止される。
【００１９】
上記嵌合状態から固定筒12を強制的に抜出す場合は、固定筒12を強く上方へ引上げすることで、固定筒小内径部の上部32が第２突部41を無理に乗越え、又第１突部34が第２凹溝42内を通り抜けすることで固定筒12を抜出すことが出来る。
【００２０】
【発明の効果】
本発明は既述構成とするもので、請求項１記載のようにすることで、固定筒12下部を下蓋１の嵌合筒３外面へ確実かつ容易に嵌合させ、下蓋１を介して容器本体の固定筒12を回動させることが出来ると共に、該固定筒からの下蓋１の抜出しを防止させることが出来、又必要に応じて強制的にその下蓋１を固定筒12下部から抜出すことも可能であり、従って下蓋およびキャップに対して容器本体11を交換することが出来る便利がある。
【００２１】
請求項２のようにすることで、特に嵌合筒３外面への固定筒12下部の嵌合が容易となる。
【図面の簡単な説明】
【図１】  本発明容器の縦断面図である。
【図２】  図１要部の拡大展開図である。
【図３】  図１他の要部の拡大展開図である。
【符号の説明】
１…下蓋                ３…嵌合筒
11…容器本体            12…固定筒
13…把持筒              15…受筒
31…小内径部            32…小内径部の上部
33…第１凹溝            34…第１突部
41…第２突部            42…第２凹溝
43…第３突部            44…縦割溝
【図１】
0004269083.tif 000002
【図２】
0004269083.tif 000003
【図３】
0004269083.tif 000004